(57)【特許請求の範囲】
【請求項１】
矩形状の枠体の内部が仕切桟により縦横２方向に区画され、前記区画はそれぞれ支持桟が対角線状又は十字状に交叉し、該交叉部に、先細り状の帽筒部の大径側端部に該大径側端部よりも大径の短筒部が連接してなる保持具を突設してなり、１つの保持板の保持具を他の保持板の保持具の中空部に挿脱自在に挿入することにより、複数の保持板を積み重ね可能とするとともに、裏面中央部に段ボール箱に収納した際に該段ボール箱の対向する蓋板の間に嵌合するための嵩高部を設けたことを特徴とするボビン等用保持板。
【請求項２】
枠体に補強リブを設けた請求項１記載のボビン等用保持板。
【請求項３】
仕切桟に補強リブを設けた請求項１又は２記載のボビン等用保持板。
【発明の詳細な説明】
【０００１】
【産業上の利用分野】
本発明は、ボビン等を箱体に収納して梱包、輸送する際に、ボビン等を箱体内で固定、保持するためのホビン等用保持板に関する。
【０００２】
【従来の技術】
従来より、この種の保持具には種々のものが提案さているが、その代表的なものの１つに実公昭４６−１３５１３号公報記載のボビン収納用ソケットがある。このソケットは、図１５に示すように、円筒状のソケット本体２１の下部に鍔２２を設けるとともに、ソケット本体２１の外周面２３に突起物２４を設けたものであって、段ボール紙等の台板２５に設けた孔にソケット本体２１を嵌着し、ソケット本体２１の台板２５から突出した部分にボビン２６を嵌挿して把持する。
【０００３】
【発明が解決しようとする課題】
しかし、かかる構造のソケットにあっては、台板２５の孔に多数のソケット本体２１を嵌着することが必要であるため作業能率が悪く、また図１６に示すように、ソケットを嵌着した台板２５を複数枚積み重ねて保管したり、輸送したりする場合、上下のソケット同士が突き当たって全体の高さが減らないため嵩張り、広いスペースが必要となって保管、輸送の効率が悪いという欠点があった。
一方、台板２５からソケットを取り外して保管、輸送しようとすると、突起物２４のためにソケットの取り外しに手間がかかる上に、１つのソケットを他のソケットの中空部に挿入可能な形状になっていないために、取り外して集めたソケットが嵩張り、やはり取扱いに難があるという問題があった。
本発明は、従来のソケットを改良して、前記のような欠点を解消することを目的とする。
【０００４】
【課題を解決するための手段】
上記目的を達成するために、本発明のボビン等用保持板は、矩形状の枠体の内部が仕切桟により縦横２方向に区画され、前記区画はそれぞれ支持桟が対角線状又は十字状に交叉し、該交叉部に、先細り状の帽筒部の大径側端部に該大径側端部よりも大径の短筒部が連接してなる保持具を突設してなり、１つの保持板の保持具を他の保持板の保持具の中空部に挿脱自在に挿入することにより、複数の保持板を積み重ね可能とするとともに、裏面中央部に段ボール箱に収納した際に該段ボール箱の対向する蓋板の間に嵌合するための嵩高部を設けたものである（請求項１）。
また好ましい態様としては、枠体に補強リブを設けた請求項１記載のボビン等用保持板（請求項２）。
また好ましい態様としては、仕切桟に補強リブを設けた請求項１又は２記載のボビン等用保持板（請求項３）。
【０００５】
【実施例】
以下、本発明の実施例を示す図面に基づいて説明する。
実施例１
図１は本発明のボビン等用保持板の正面図、図２は同背面図、図３は図２のＡ−Ａ拡大断面図である。
これらの図において、本発明のボビン等用保持板は、矩形状の枠体１の内部が仕切桟２で縦横２方向に区画され、各区画は支持桟３が対角線状に交叉し、該交叉部に、先細り状の帽筒部４とその大径側端部に該大径側端部よりも大径の短筒部５からなる保持具６が突設され、図４に示す如く、１つの保持板Ｈ１の保持具６を他の保持板Ｈ２の保持具６の中空部に挿脱自在に挿入することにより複数の保持板を積み重ね可能とした構成からなる。
【０００６】
本発明のボビン等用保持板の素材としては金属、合成樹脂等が挙げられるが、コスト、成形性から合成樹脂が好適である。合成樹脂としては特に制限されないが、ポリエチレン、ポリプロピレン等のポリオレフィン系樹脂、塩化ビニル系樹脂、ＡＢＳ樹脂、ポリアミド系樹脂、ポリエステル系樹脂等が挙げられる。
【０００７】
保持板の厚さは余り薄くなると強度が不充分となり、また逆に余り厚いと材料費が高くなるばかりでなく、重量が大きくなるので、通常１．５〜５mm程度が好ましい。
【０００８】
仕切桟２、支持桟３は必ずしも直線状である必要はなく、少々曲がっていても差し支えない。
支持桟３の交叉部上に突設される支持部６は、先細り状帽筒部４とその大径側端部に該大径側端部よりも大径の短筒部５とからなるが、それぞれのサイズも保持されるボビン等のサイズにより適宜決定されるが、一例を示せば帽筒部４の円錐台部の小径側の直径は約２０mm、大径側の直径は約３０mm、帽筒部４の長さは約４７mm、短筒部の直径は約３５mm、長さは約８mmである。
【０００９】
尚、上記実施例においては、図２に示す如く、枠体１、仕切桟２及び支持桟３の裏面に補強リブ７が突設され、これにより保持板の厚みを薄くすることで、コストの低減及び軽量化が可能である。
また、保持板の裏面の略中央部に嵩高部８が設けられているが、該嵩高部は段ボールの蓋板の厚みと略同じ高さに設計されている。
即ち、図５に本発明の保持板の使用状態を示したが、２枚の保持板Ｈ１、Ｈ２の保持具６をボビン９等の両端部に挿入した状態で箱体、例えば段ボール箱１０内に収納してボビン９を固定、保持して輸送や保管に供されるが、段ボール箱１０の蓋板１０ａ、１０ｂの間に形成される凹部に保持板Ｈ１、Ｈ２の嵩高部８が嵌合して輸送中においても安定した状態を維持することができる。
【００１０】
また、図６に示した如く、図５に示した使用例において、２枚の保持板Ｈ１、Ｈ２のうちのいずれか１枚（図５ではＨ２）をボビン９等の円筒部の外径よりも僅かに大き目の透孔を有する、段ボール紙、プラスチックシート、発泡プラスチックシート等からなる有孔シートＨ３に置き換え、該透孔内にボビン９等の円筒部を挿通した状態で箱体に収納して輸送又は保管することも可能である。
尚、補強リブは、場合により省略しても差し支えないことは云うまでもない。
【００１１】
実施例２
図７及び図８は、本発明の他の実施例を示し、図７は正面図、図８は図７のＢ−Ｂ拡大断面図である。
即ち、本実施例では、上記実施例１で示した保持板において、該保持板の枠体１の表面にも補強リブ７が設けられている。他の構成は実施例１と同じである。
【００１２】
実施例３
図９及び図１０は、本発明の更に他の実施例を示し、図９は正面図、図１０は図９のＣ−Ｃ拡大断面図である。
即ち、本実施例では、上記実施例２で示した保持板において、該保持板の枠体１の表面のみならず、仕切桟２の表面にも補強リブ７が設けられている。他の構成は実施例１、実施例２と同じである。
【００１３】
実施例４
図１１〜図１４は、本発明の更に他の実施例を示し、図１１は正面図、図１２は同背面図、図１３は図１１のＤ−Ｄ拡大断面図、図１４は図１１のＥ−Ｅ拡大断面図である。
本実施例では、縦横２方向の仕切桟２による区画内において支持桟３が十字状に交叉し、該交叉部に保持具６が設けられている。他の構成は実施例１と同じである。
【００１４】
【発明の効果】
叙上のとおり、本発明によれば、従来のように台板の孔に多数のソケット本体を嵌着する手間が不要となり、また、台板への嵌着作業中に既に嵌着した保持具が脱離するといったトラブルや、輸送中の振動等により保持具が台板から緩んだり脱離するというトラブルもないので作業能率は大巾に向上する。また、裏面中央部に設けた嵩高部が段ボール箱に収納した際に、該段ボール箱の対向する蓋板の間に形成される凹部に嵌合し、輸送中においても安定した状態を維持することができる。更に、保持板を積み重ねて保管や輸送ができるため、保持板の保管、輸送に必要なスペースが小さくて済み、それだけ保管、輸送効率が高められる。
【図面の簡単な説明】
【図１】本発明の実施例を示す正面図である。
【図２】図１の背面図である。
【図３】図１のＡ−Ａ拡大断面図である。
【図４】本発明の保持板を積み重ねた状態を示す一部切り欠き断面図である。
【図５】本発明の保持板の使用状態を示す一部切り欠き断面図である。
【図６】本発明の保持板の他の使用状態を示す一部切り欠き断面図である。
【図７】本発明の他の実施例を示す正面図である。
【図８】図７のＢ−Ｂ拡大断面図である。
【図９】本発明の更に他の実施例を示す正面図である。
【図１０】図９のＣ−Ｃ拡大断面図である。
【図１１】本発明の更に他の実施例を示す正面図である。
【図１２】図１０の背面図である。
【図１３】図１０のＤ−Ｄ拡大断面図である。
【図１４】図１０のＥ−Ｅ拡大断面図である。
【図１５】従来の保持具の一例を示す断面図である。
【図１６】従来の保持具を嵌着したままの固定板を複数枚積み重ねた状態を示す断面図である。
【符号の説明】
１  枠体                              ２  仕切桟
３  支持桟                            ４  帽筒部
５  短筒部                            ６  保持具
７  補強リブ                          ８  嵩高部
９  ボビン                          １０  段ボール箱
１０ａ、１０ｂ  段ボール箱の蓋板
Ｈ１、Ｈ２  保持板
２１  ソケット本体                  ２２  鍔
２３  ソケット本体の外周面          ２４  突起物
２５  台板                          ２６  ボビン
【図１】
0003655458.tif 000002
【図２】
0003655458.tif 000003
【図３】
0003655458.tif 000004
【図４】
0003655458.tif 000005
【図５】
0003655458.tif 000006
【図６】
0003655458.tif 000007
【図７】
0003655458.tif 000008
【図８】
0003655458.tif 000009
【図９】
0003655458.tif 000010
【図１０】
0003655458.tif 000011
【図１１】
0003655458.tif 000012
【図１２】
0003655458.tif 000013
【図１３】
0003655458.tif 000014
【図１４】
0003655458.tif 000015
【図１５】
0003655458.tif 000016
【図１６】
0003655458.tif 000017